(57)【要約】【課題】照明器具と窓状部光取り込み装置の連動制御方法及び連動制御システムであって、高出力の照明器具を用いることなく、就寝者の覚醒度を速やかに上げるための覚醒刺激を効率良く与えることを可能とする。【解決手段】人の覚醒度を上げるための、照明器具１と、窓状部を覆っているカーテン２２（構造体）を含む窓状部光取り込み装置２の連動制御方法であって、起床設定時刻前から照明器具１を漸増光点灯させ、照明器具１が略１００％点灯後に、窓状部光取り込み装置２のカーテン２２を開駆動する。【選択図】図１
2005339998.tif 000002
【特許請求の範囲】
【請求項１】
人の覚醒度を上げるための、照明器具と、窓状部を覆っている構造体を含む窓状部光取り込み装置の連動制御方法であって、
起床設定時刻前から照明器具を漸増光点灯させ、
照明器具が略１００％点灯後に、前記窓状部光取り込み装置の構造体を開駆動することを特徴とする照明器具と窓状部光取り込み装置の連動制御方法。
【請求項２】
窓状部からの光取り込みに合わせて、空調機器を駆動することを特徴とする請求項１記載の照明器具と窓状部光取り込み装置の連動制御方法。
【請求項３】
窓状部からの光取り込みに合わせて、音出力機器を駆動することを特徴とする請求項１記載の照明器具と窓状部光取り込み装置の連動制御方法。
【請求項４】
人の覚醒度を上げるための、照明器具と、窓状部を覆っている構造体を含む窓状部光取り込み装置を連動して制御するシステムであって、
起床設定時刻前から照明器具を漸増光点灯させる照明制御手段と、
照明器具が略１００％点灯後に、窓状部から光を取り込むために窓状部を覆っている窓状部光取り込み装置の構造体を開駆動する駆動制御手段と、を備えたことを特徴とする連動制御システム。
【請求項５】
請求項４に記載の連動制御システムに用いられる窓状部光取り込み装置であって、
入力された日の出時刻データを記憶する日の出時刻記憶部と、
前記日の出時刻記憶部に記憶された日の出時刻データを参照して前記構造体の開駆動を制御する制御部と、を備えたことを特徴とする窓状部光取り込み装置。
【請求項６】
請求項４に記載の連動制御システムに用いられる窓状部光取り込み装置であって、
外部の明るさを測定する明るさセンサと、
前記明るさセンサにより測定された明るさに応じて前記構造体の開駆動を制御する制御部と、を備えたことを特徴とする窓状部光取り込み装置。
【請求項７】
前記制御部は、前記構造体の駆動速さを計算する制御速度演算部を備えたことを特徴とする請求項５又は請求項６に記載の窓状部光取り込み装置。
【発明の詳細な説明】
【技術分野】
【０００１】
本発明は、光などの人を覚醒させる刺激を効果的に制御する照明器具と窓状部光取り込み装置の連動制御方法及び連動制御システムに関する。
【背景技術】
【０００２】
従来から、人、特に就寝者の覚醒度を上げるための照明光制御に関して各種方法やシステムが提案されている。例えば、照明器具による光照度を低照度から中照度へと緩やかに増加させ、その後、中照度から高照度へと急速に照度を変化させることで、就寝者に心地良い目覚めをもたらす目覚まし装置が知られている（特許文献１参照）。ここに、低照度から中照度への変化は睡眠を深い状態から浅い状態へ導くためのものであり、中照度から高照度への変化は人の生体リズムを活動期へ向かわせるためのものである。
【特許文献１】特開平７−３１８６７０号公報
【発明の開示】
【発明が解決しようとする課題】
【０００３】
しかしながら、就寝者の生体リズムを活動期に向かわせるための高照度出力を得るためには、照明器具を高ワット化する必要があり、現状では器具が大きくなってしまい、インテリアに合わないということや、部屋が狭くなってしまうという問題がある。また、高ワットランプを用いることにより、エネルギー消費が大きくなって環境負荷となり好ましくない。
【０００４】
本発明は、上述課題に鑑みてなされたものであり、高出力の照明器具を用いることなく、就寝者の覚醒度を速やかに上げるための覚醒刺激を効率良く与えることが可能な照明器具と窓状部光取り込み装置の連動制御方法及び連動制御システムを提供することを目的とする。
【課題を解決するための手段】
【０００５】
上記目的を達成するために、本発明は、人の覚醒度を上げるための、照明器具と、窓状部を覆っている構造体を含む窓状部光取り込み装置の連動制御方法であって、起床設定時刻前から照明器具を漸増光点灯させ、照明器具が略１００％点灯後に、前記窓状部光取り込み装置の構造体を開駆動することを特徴とする。
【０００６】
また、上記において、窓状部からの光取り込みに合わせて空調機器を駆動するものとしてもよい。
【０００７】
また、上記において、窓状部からの光取り込みに合わせて音出力機器を駆動するものとしてもよい。
【０００８】
また、本発明は、人の覚醒度を上げるための、照明器具と、窓状部を覆っている構造体を含む窓状部光取り込み装置を連動して制御するシステムであって、起床設定時刻前から照明器具を漸増光点灯させる照明制御手段と、照明器具が略１００％点灯後に、窓状部から就寝室に光を取り込むために窓状部を覆っている窓状部光取り込み装置の構造体を開駆動する駆動制御手段と、を備えたことを特徴とする。
【０００９】
また、上記連動制御システムに用いられる窓状部光取り込み装置であって、入力された日の出時刻データを記憶する日の出時刻記憶部と、前記日の出時刻記憶部に記憶された日の出時刻データを参照して前記構造体の開駆動を制御する制御部と、を備えたものとしてもよい。
【００１０】
また、上記連動制御システムに用いられる窓状部光取り込み装置であって、外部の明るさを測定する明るさセンサと、前記明るさセンサにより測定された明るさに応じて前記構造体の開駆動を制御する制御部と、を備えたものとしてもよい。
【００１１】
また、前記制御部は、前記構造体の駆動の速さを計算する制御速度演算部を備えたものとしてもよい。
【発明の効果】
【００１２】
本発明の方法によれば、照明器具の漸増光点灯により睡眠を深い状態から浅い状態に導き、その後、窓状部から光を取り込むことで生体リズムを活動期に向かわせる。照明器具からの光を補うように窓状部から光を取り込むことで、照明器具の出力を大きくする必要もなくなり、省エネルギーとなる。従って、就寝者の覚醒度を速やかに上げるための覚醒刺激を効率良く与えることが可能となる。
【００１３】
また、あまり光の取り込みが期待できない場合は、空調機器を駆動して冷風又は送風などによる覚醒刺激を与えることで、就寝者の覚醒度を速やかに上げることが可能となる。照明器具のみによる覚醒刺激だけではなく、他の機器からも覚醒刺激を出力することで、照明器具の負担が小さくなり、照明器具を大掛かりなものにする必要がなくなる。
【００１４】
また、光取り込みに合わせて音出力機器を駆動するものとすれば、冷風又は送風を行う方法と同様な効果が得られる。
【００１５】
また、窓状部光取り込み装置により自然光を取り込む際に、起床設定時刻が日の出前であった場合には、窓状部光取り込み装置から光を取り込むために窓状部を覆う構造体を制御する意味がなくなってしまう。そこで、そのことを考慮して日の出時刻データを参照して構造体を開駆動制御すれば、効果がある。
【００１６】
また、覚醒刺激として必要十分な光量を得ることを目的として窓状部光取り込み装置を覆う構造体を開駆動するが、外部から必要十分な光量を得ることができない場合は、構造体を開駆動する意味がなくなってしまう。そこで、そのことを考慮して明るさセンサにより測定された明るさに応じて構造体を開駆動制御すれば、効果がある。
【００１７】
また、外部から窓状部光取り込み装置を通して室内に入射する光量に合わせて、窓状部光取り込み装置を覆う構造体を開駆動する動作速度を調整すれば、急激な明るさ上昇による不快感を軽減することが可能となる。
【発明を実施するための最良の形態】
【００１８】
以下、本発明の実施形態に係る、照明器具と窓状部光取り込み装置との連動制御方法及び連動制御システムについて図面を参照して説明する。以下の図面において、実質的に同一の機能を有する構成要素には同一の参照符号を付している。
【００１９】
（実施例１）
図１は実施例１に係る連動制御システムの構成を示す。照明器具１は、就寝室に設けられ、起床設定時刻前に漸増光点灯し、起床設定時刻付近で略１００％点灯するものである。照明器具１は、ランプ１１、点灯装置１２、調光制御装置１３、制御信号記憶部１４、及び制御信号受信部１５を有している。窓状部光取り込み装置２は、就寝室のガラス窓２１、ガラス窓２１を覆うカーテン２２（請求項で言う構造体）、カーテン２２を駆動制御するカーテン駆動制御部２３、制御信号受信部２４を有している。リモコン３は、起床時刻を設定する起床時刻設定手段３１、起床設定時刻を照明器具１と窓状部光取り込み装置２に制御信号を送信する赤外線信号送信部３２を有している。制御信号記憶部１４には、照明器具１の点灯調光制御用のデータが予め格納されている。
【００２０】
上記構成において、ユーザは、起床設定時刻をリモコン３にて設定する。起床設定時刻の所定時間（例えば、３０分）前になると、リモコン３から照明器具１の制御信号受信部１５に点灯制御信号が送信され、制御信号記憶部１４のデータに基づき、照明器具１の漸増光点灯が開始される。起床設定時刻になると、照明器具１が１００％点灯し、リモコン３から窓状部光取り込み装置２の制御信号受信部２４に制御信号が送信され、カーテン２２がカーテン駆動制御部２３の制御により開く。
【００２１】
図２は、窓状部光取り込み装置２におけるガラス窓２１を覆う構造体がカーテン２２の場合を示す。カーテン２２は、カーテンレールに支持され、カーテン駆動制御部２３により開閉自在にガラス窓２４に対向して設けられている。窓状部光取り込み装置２の構造体は、カーテン２２に限られず、それに替えて、窓状部を覆うブラインドであってもシャッターであってもよい。
【００２２】
図３及び図４は、図１に示した連動制御システムの動作を示す。これらの図に示すように、起床設定時刻ｔ１より所定時間前から（＃１でＹＥＳ）、照明器具１は漸増光点灯し（＃２）、時刻ｔ１に明るさが約１００％となる。この時、電動カーテン（カーテン２２）が駆動され、開く（＃３）。
【００２３】
本実施例１においては、起床設定時刻ｔ１より所定時間前から照明器具１を漸増光点灯させることで、睡眠を深い状態から浅い状態に導き、その後、照明器具１からの光を補うように窓状部から光を取り込むので、照明器具の出力を大きくしなくとも、覚醒刺激を効率良く与えることが可能で、就寝者の生体リズムを活動期に向かわせ、覚醒度を速やかに上げることができる。
【００２４】
（実施例２）
図５は、実施例２に係る連動制御システムの構成を示す。この実施例２のシステムは、空調機器４が付加されている点で実施例１と相違し、その他は実施例１と同等である。空調機器４は、冷風、又は送風を行う機能を有しているものであればよい。リモコン３からの信号を受信して、照明器具１、窓状部光取り込み装置２及び空調機器４は、互いに連動して動作する。すなわち、リモコン３から、照明器具１の制御信号受信部１５、窓状部光取り込み装置２の制御信号受信部２４及び空調機器４に制御信号が送信され、上記と同様に、照明器具１が調光制御され、カーテン２２がカーテン駆動制御部２３の制御により開き、空調機器４から冷風又は送風動作が開始される。
【００２５】
本実施例２においては、上記実施例１の効果に加えて、空調機器４を駆動して冷風又は送風などによる覚醒刺激を与えることで、就寝者の覚醒度を速やかに上げることが可能となる。こうして、照明器具１のみによる覚醒刺激だけではなく、他の機器からも覚醒刺激を出力することで、照明器具１の負担が小さくなる。
【００２６】
（実施例３）
図６は、実施例３に係る連動制御システムの構成を示す。この実施例３のシステムは、音出力機器５が付加されている点で実施例１と相違し、その他は実施例１と同等である。リモコン３からの信号を受信して、照明器具１、窓状部光取り込み装置２及び音出力機器５は、互いに連動して動作する。すなわち、照明器具１の漸増光点灯が開始され、起床設定時刻になると照明器具１が１００％点灯し、リモコン３から窓状部光取り込み装置２の制御信号受信部２４及び音出力機器５に制御信号が送信され、カーテン２２がカーテン駆動制御部２３の制御により開き、音出力機器５から音出力が開始される。本実施例３においても、音出力により、上記実施例２と同等の効果が得られる。
【００２７】
（実施例４）
図７は、実施例４に係る連動制御システムにおける窓状部光取り込み装置２の構成を示す。ここでは、照明器具及びリモコンは図示を省いている（以下、同様）。この実施例４のシステムでは、窓状部光取り込み装置２が他機器、例えば、インターネット６を介しデータサーバ７に接続され、データサーバ７から日の出時刻が入力されるようになっている。その他は実施例１と同等である。窓状部光取り込み装置２は、日の出時刻データをデータサーバ７から入力する日の出時刻入力部２５、日の出時刻記憶部２６、及び日の出時刻データを参照してカーテン２２を駆動制御する方法を判断する制御方法判断部２７を有している。
【００２８】
本実施例４においては、日の出時刻データを参照してカーテン２２を開駆動制御し、窓状部光取り込み装置２からの光取り込みを制御する。然るに、窓状部光取り込み装置２により自然光を取り込む際に、起床設定時刻が日の出前であると、起床設定時刻にカーテン２２を開制御しても意味がなくなる。そこで、日の出時刻を考慮してカーテン２２を開駆動制御することで、光取り込みが有効に行えるものとなる。
【００２９】
（実施例５）
図８は、実施例５に係る連動制御システムにおける窓状部光取り込み装置２の構成を示す。この窓状部光取り込み装置２は、外部の明るさを測定する明るさセンサ２８、この明るさセンサ２８により測定した明るさに応じてカーテン２２を駆動制御する方法を判断する制御判断部２７を有している。
【００３０】
本実施例５においては、明るさセンサ２８により測定した明るさに応じてカーテン２２を開駆動制御し、窓状部光取り込み装置２からの光取り込みを制御する。然るに、窓状部光取り込み装置２により自然光を取り込む際に、起床設定時刻に外部から必要十分な光量を得ることができない場合は、カーテン２２を開制御しても意味がなくなる。そこで、明るさセンサ２８により測定された明るさを考慮してカーテン２２を開駆動制御することで、光取り込みが有効に行えるものとなる。
【００３１】
（実施例６）
図９は、実施例６に係る連動制御システムにおける窓状部光取り込み装置２の構成を示す。この窓状部光取り込み装置２は、図７に示した実施例４とは、カーテン２２の駆動動作速さを計算する制御速度演算部２９を有している点でのみ相違し、日の出時刻データを他機器、例えばインターネット６を介しデータサーバ７から入力する日の出時刻入力部２５、日の出時刻記憶部２６、及び日の出時刻データよりカーテン２２を駆動制御する方法を判断する判断部２７を有していることは上記と同じである。
【００３２】
本実施例６においては、外部から窓状部光取り込み装置２を通して室内に入射する光量に合わせて、制御速度演算部２９によりカーテン２２を開駆動する動作速度を演算して求め、その動作速度で調整すれば、急激な明るさ上昇により不快感を与えるようなことを防止できる。
【００３３】
本発明は、上記実施例の構成に限られることなく、発明の趣旨を変更しない範囲で種々の変形が可能である。例えば、窓状部光取り込み装置２の窓状部を覆う構造体は、任意の構成を採用し得る。また、構造体を開駆動するタイミングは、起床設定時刻の前後に少々ずれても構わない。
【図面の簡単な説明】
【００３４】
【図１】本発明の実施例１に係る連動制御システムを示す構成図。
【図２】同システムにおける窓状部光取り込み装置の一例を示す斜視図。
【図３】同システムにおける連動制御方法を示すタイムチャート。
【図４】同システムにおける連動制御方法を示すフローチャート
【図５】本発明の実施例２に係る連動制御システムを示す構成図。
【図６】本発明の実施例３に係る連動制御システムを示す構成図。
【図７】本発明の実施例４に係る連動制御システムを示す構成図。
【図８】本発明の実施例５に係る連動制御システムを示す構成図。
【図９】本発明の実施例６に係る連動制御システムを示す構成図。
【符号の説明】
【００３５】
１  照明装置
１１  ランプ
１２  点灯装置
１３  調光制御装置（照明制御手段）
１４  制御信号記憶部
１５  制御信号受信部
２  窓状部光取り込み装置
２１  ガラス窓
２２  カーテン（構造体）
２３  カーテン駆動制御部（駆動制御手段）
２４  制御信号受信部
２６  日の出時刻記憶部
２７  制御方法判断部（制御部）
２８  明るさセンサ
２９  制御速度演算部
３  リモコン
３１  起床時刻設定手段
４  空調機器
５  音出力機器
【図１】
2005339998.tif 000003
【図２】
2005339998.tif 000004
【図３】
2005339998.tif 000005
【図４】
2005339998.tif 000006
【図５】
2005339998.tif 000007
【図６】
2005339998.tif 000008
【図７】
2005339998.tif 000009
【図８】
2005339998.tif 000010
【図９】
2005339998.tif 000011